(57)【要約】【課題】  厚膜型の防錆防食塗装を行わず、建設現場で極く簡単な工事を行うだけにしてユニット式の経済効果を十分に達成しつつ、優れた防錆、防食性能を確保して耐久性の向上が図れるようにする。【解決手段】  鋼製地下ユニット１における壁構造体６Ｗ，６Ｗの金属外板５，５外側に防錆防食用コンクリート壁７，７を形成して構築されるユニット式地下室Ｕにおいて、建設現場で前記コンクリート壁７，７を打設形成するためのコンクリート打設用板８，８が既製の鋼製地下ユニット１における壁構造体６Ｗ，６Ｗの金属外板５，５に予め固定支持されている。【選択図】      図１
2005226430.tif 000002
【特許請求の範囲】
【請求項１】
複数の芯材鉄骨の外側に金属外板を固定してなる壁構造体と天井構造体並びに床構造体を組立てて短辺方向で断面ロ型のラーメン構造に構成された既製の金属製地下ユニットの一つまたは複数を建設現場に搬入し、かつ、その建設現場に形成した掘削穴底部のコンクリート基礎上に載置固定した上、前記金属製地下ユニットにおける少なくとも壁構造体の金属外板の外側にコンクリート壁を打設形成して構築されるユニット式地下室において、
建設現場で前記コンクリート壁を打設形成するためのコンクリート打設用板が前記既製の金属製地下ユニットにおける該当構造体の金属外板に予め固定支持されていることを特徴とするユニット式地下室。
【請求項２】
前記コンクリート打設用板が、金属板または木製パネルである請求項１に記載のユニット式地下室。
【請求項３】
前記コンクリート打設用板が、エキスパンドメタルから構成されている請求項１に記載のユニット式地下室。
【発明の詳細な説明】
【技術分野】
【０００１】  本発明は、チャンネル鋼等の鉄骨を芯材とし、その芯材鉄骨の外側に鋼板等の金属外板を固定してなる壁、天井及び床の各構造体を組立てて短辺方向で断面ロ型のラーメン構造に構成された既製の金属製地下ユニットの一つまたは複数を建設現場に搬入し、かつ、その建設現場に形成した掘削穴底部のコンクリート基礎上に載置固定した上、前記金属製地下ユニットにおける少なくとも壁構造体の金属外板の外側にコンクリート壁を打設形成して構築されるユニット式地下室に関するものである。
【背景技術】
【０００２】  この種のユニット式地下室として、従来、芯材鉄骨の外側に鋼板等の金属外板を固定してなる壁、天井及び床の各構造体を組立てて短辺方向で断面ロ型のラーメン構造に構成された既製の金属製地下ユニットにおける各構造体の金属外板の外表面全域に特殊塗料を使用して厚膜型の半永久防錆防食塗膜を形成することで、鉄骨や鋼板等の金属外板に対する防錆、防食対策を施したものが知られている（例えば、特許文献１参照）。【０００３】
【特許文献１】特許第３１４９０１９号公報
【発明の開示】
【発明が解決しようとする課題】
【０００４】  上記したユニット式地下室は、多くのパネル等を建設現場で逐一組み立てて構築する従前の非ユニット式地下室に比べ、建設現場での構築工数の削減等によってトータル的な構築費用の低減が図れ、同じ容積の地下室を低コストに提供できるという経済効果を有している。しかしながら、防錆防食対策として、厚膜型の防錆防食塗膜を形成する従来のユニット式地下室では、非常に高価な特殊塗料を多量に使用しなければならないだけでなく、優れた防錆、防食性能を確保できるように金属外板の外表面全域にむらなく均一厚さの塗膜を形成する塗装作業に高度な技術及び多大な手間を費やすために地下ユニット自身の製作費用が高くなり、非ユニット式地下室との対比による上述の経済効果を十分に達成することができないという問題があった。【０００５】  本発明は上記実情に鑑みてなされたもので、厚膜型の防錆防食塗装を行わず、建設現場で極く簡単な工事を行うだけにして経済効果を十分に達成しつつ、優れた防錆、防食性能を確保して耐久性の向上を図ることができるユニット式地下室を提供することを目的としている。
【課題を解決するための手段】
【０００６】  上記目的を達成するために、本発明に係るユニット式地下室は、複数の芯材鉄骨の外側に金属外板を固定してなる壁構造体と天井構造体並びに床構造体を組立てて短辺方向で断面ロ型のラーメン構造に構成された既製の金属製地下ユニットの一つまたは複数を建設現場に搬入し、かつ、その建設現場に形成した掘削穴底部のコンクリート基礎上に載置固定した上、前記金属製地下ユニットにおける少なくとも壁構造体の金属外板の外側にコンクリート壁を打設形成して構築されるユニット式地下室において、建設現場で前記コンクリート壁を打設形成するためのコンクリート打設用板が前記既製の金属製地下ユニットにおける該当構造体の金属外板に予め固定支持されていることを特徴としている。
【発明の効果】
【０００７】  上記のような特徴構成を有する本発明のユニット式地下室によれば、地下躯体の主体として、壁構造体と天井構造体並びに床構造体を工場製作の段階で組立てた既製の金属製地下ユニットを用いるものであるから、多くのパネル等を建設現場で逐一組み立てて構築する従前の非ユニット式地下室に比べて、建設現場での構築工数の削減等によってトータル的な構築費用の低減が図れ、同じ容積の地下室を低コストに提供できるという経済効果を有する。しかも、既製の金属製地下ユニットを建設現場の掘削穴底部のコンクリート基礎上に載置固定した後、該地下ユニットにおける少なくとも壁構造体の金属外板に工場出荷の段階で予め固定支持されているコンクリート打設用板とその該当構造体の金属外板との間にコンクリートを打設するといった極く簡単な現場工事を行うだけで、少なくとも壁構造体の金属外板の外側に防錆防食性能に優れたコンクリート被覆部を形成することができる。したがって、防錆防食対策として、材料的にも作業技術的にも時間的にも費用が高くつく厚膜型の防錆防食塗装工事を不要にして、地下躯体として既製の金属製地下ユニットを用いることによる上記の経済効果を十分に達成しつつ、金属製地下ユニットに対して優れた防錆性能、防食性能を確保して地下室全体の耐久性向上を図ることができる。【０００８】  加えて、コンクリート打設用板を予め地下ユニットにおける構造体の外側に固定支持させているので、このコンクリート打設用板を地下ユラットとは別体にして、建設現場の地下室構築予定箇所の周囲の地中に打ち込んだり、オープンカットした掘削穴周りに建て込んだりする面倒な現場工事を省略することができ、これによって、現場工事は単なるコンクリートの流し込みでよくなり、防錆防食対策として現場打ちコンクリート被覆部を用いるものである割に、その現場工事費もできるだけ削減して耐久性に優れた地下室をトータル的に安価に構築することができるという効果を奏する。【０００９】  上記のコンクリート打設用板としては、請求項２に記載のように、金属板または木製パネルのいずれを用いてもよいが、特に、請求項３に記載のように、エキスパンドメタルから構成されたコンクリート打設用板を用いる場合は、現場で打設されたコンクリートの一部を多数のメッシュを通して外部側に流出させて該コンクリート打設用板の外面も被覆させることができ、その結果、コンクリート打設用板自身の防錆防食性能も達成し、金属外板５とコンクリート壁７との複合一体化による地下室の強度アップ効果も長期に亘って保持することができる。
【発明を実施するための最良の形態】
【００１０】  以下、本発明の実施の形態を図面にもとづいて説明する。
図１は本発明に係るユニット式地下室をその構築完成状態で示す概略側面図、図２は図１のＸ−Ｘ線に沿った縦断正面図であり、このユニット式地下室Ｕは、工場において寸法や形状などを標準化して同一仕様、同一構造に製作され、トラック等によって建設現場に搬入された複数（図面上では３つで示すが、２つ以上であればよい）の金属製（鋼製）地下ユニット１…を、建設現場に形成した地下掘削穴底部のコンクリート基礎２上に列状に並べて載置固定するとともに、それぞれ隣接する鋼製地下ユニット１，１同士を相互に水密接合し、かつ、列方向の両端部にはそれぞれ妻壁３，３を固定接合するとともに、これら鋼製地下ユニット１…における後述する左右の壁構造体６Ｗ，６Ｗ及び妻壁３，３の外側にそれぞれ防錆防食用のコンクリート壁７，７を打設形成することにより、長手方向に所定長さの耐震壁構造に構築されている。【００１１】  かかるユニット式地下室Ｕにおける地下躯体を構成するところの前記複数の鋼製地下ユニット１はそれぞれ、図３に明示するように、適当ピッチに配置されたチャンネル鋼等の芯材鉄骨４の外側フランジ部４ａに薄肉鋼板等の金属外板５を固定してなる左右の壁構造体６Ｗと天井構造体６Ｃ並びに床構造体６Ｆを組立てることにより、短辺方向で断面ロ型のラーメン構造に構成されている。なお、前記妻壁３，３も、各構造体６Ｗ，６Ｃ，６Ｆと同様に、適当ピッチに配置されたチャンネル鋼等の芯材鉄骨４の外側に鋼板等の金属外板５を固定して構成されている。【００１２】  上記のように構築されるユニット式地下室Ｕにおいて、建設現場で各鋼製地下ユニット１…における左右の壁構造体６Ｗ，６Ｗ及び妻壁３，３外側のコンクリート壁７，７を打設形成するための、例えば金属板や木製パネル等のコンクリート打設用板８，８は、図４及び図５に示すように、それら壁構造体６Ｗ，６Ｗ及び妻壁３，３における金属外板５の外面に適当な割り付けピッチで溶接し突出された防錆メッキボルト９，９…と二重ナット１０，１０…を介して工場製作の段階で予め各鋼製地下ユニット１…及び妻壁３，３に固定支持されており、建設現場でそれら各鋼製地下ユニット１…及び妻壁３，３を組付けた後に、各金属外板５，５とコンクリート打設用板８，８との間の空間部にコンクリートを流し込むことにより、前記防錆防食用のコンクリート壁７，７が形成される。【００１３】  なお、各コンクリート打設用板８，８は各鋼製ユニット１…よりも少し上部に突出しており、それら突出板部分８ａ，８ａで囲まれる天井構造体６Ｃの金属外板５の上面部にもコンクリートを流し込むことにより、その天井構造体６Ｃの金属外板５に対する防錆防食用のコンクリート壁７Ｃが形成されている。【００１４】  このように地下躯体の主体として、壁構造体６Ｗ，６Ｗと天井構造体６Ｃ並びに床構造体６Ｆを工場製作の段階で組立てた既製の鋼製地下ユニット１…を用いることにより、多くのパネル等を建設現場で逐一組み立てて構築する従前の非ユニット式地下室に比べて、建設現場での構築工数の削減等によって地下室構築費用をトータル的に低減して同じ容積の地下室を低コストに提供できるという経済効果が得られる。【００１５】  その上、既製の鋼製地下ユニット１…を建��現場の掘削穴底部のコンクリート基礎２上に載置固定し、妻壁３，３を取付けた後、該鋼製地下ユニット１…における左右の壁構造体６Ｗ，６Ｗ及び妻壁３，３の各金属外板５，５に工場出荷の段階で予め固定支持されているコンクリート打設用板８，８とそれに対向する金属外板５，５との間にコンクリートを打設するといった極く簡単な現場工事を行うだけで、それら左右の壁構造体６Ｗ，６Ｗ及び妻壁３，３の各金属外板５，５の外側にコンクリート壁７，７によって防錆防食性能に優れたコンクリート被覆部を形成することが可能である。これによって、防錆防食対策として、材料的にも作業技術的にも時間的にも経費がかかる厚膜型の防錆防食塗装工事を不要にして上記の経済効果を十分に達成しつつ、鋼製地下ユニット１…に対して優れた防錆性能、防食性能を確保して地下室Ｕ全体の耐久性向上を図ることができる。【００１６】  なお、上記実施の形態では、コンクリート打設用板８として、金属板や木製パネルを使用したものについて説明したが、これに代えて、図６に示すように、エキスパンドメタルから構成されたコンクリート打設用板８を用いてもよい。この場合は、現場で打設されたコンクリートの一部を多数のメッシュ８ｂ…を通して外部側に流出させて該コンクリート打設用板８の外面もコンクリートで被覆させることができ、その結果、コンクリート打設用板８自身の防錆防食性能も高めて、金属外板５とコンクリート壁７との複合一体化による地下室Ｕの強度アップ効果も長期に亘って保持することができる。【００１７】  また、上記実施の形態では、複数の鋼製地下ユニット１…をコンクリート基礎２上に列状に並べて載置固定するとともに、列方向の両端に妻壁３，３を固定接合することにより地下躯体を構成したが、四つの壁構造体６Ｗと一つの天井構造体６Ｃ及び床構造体６Ｆの組立てによりボックス形に構成された単一の鋼製地下ユニットを地下躯体として用いるものであってもよい。
【図面の簡単な説明】
【００１８】
【図１】本発明に係るユニット式地下室を、その構築完成状態で示す概略側面図である。
【図２】図１のＸ−Ｘ線に沿った縦断正面図である。
【図３】鋼製地下ユニットにおける壁、天井及び床構造体並びに妻壁の構成を示す要部の拡大断面図である。
【図４】地下躯体を構成する既製の鋼製地下ユニットで、コンクリート壁の形成前の正面図である。
【図５】同上鋼製地下ユニットで、コンクリート壁の形成前の縦断正面図である。
【図６】コンクリート打設用板の他の例を示す正面図である。
【符号の説明】
【００１９】  １  鋼製（金属製）地下ユニット
２  コンクリート基礎
４  芯材鉄骨
５  金属外板
６Ｗ  壁構造体
６Ｃ  天井構造体
６Ｆ  床構造体
７  コンクリート壁
８  コンクリート打設用板
Ｕ  ユニット式地下室
【図１】
2005226430.tif 000003
【図２】
2005226430.tif 000004
【図３】
2005226430.tif 000005
【図４】
2005226430.tif 000006
【図５】
2005226430.tif 000007
【図６】
2005226430.tif 000008